(57)【要約】      （修正有）【課題】スプリットベアラに係る通信において、上りの無線リソースに無駄が発生するのを回避することができる技術を提供する。【解決手段】上りリンクのキャリアアグリゲーションをサポートし、第一の基地局及び第二の基地局と通信を行うユーザ装置ＵＥは、バッファ内に蓄積されている上りデータ量が所定の閾値を超えているか否かに応じて、上りリンクにベアラスプリットを適用するのか否かを切替える切替部１０４と、第一の基地局及び第二の基地局にバッファ量報告情報を送信する送信部１０１と、を有する。送信部１０１は、上りリンクにベアラスプリットを適用することとなった場合、すでに第一の基地局に送信したバッファ量報告情報に含まれるデータ量を除いたデータ量をバッファ量報告情報として第二の基地局に送信する。【選択図】図１６
2017038335.tif 000002
【特許請求の範囲】
【請求項１】
上りリンクのキャリアアグリゲーションをサポートする無線通信システムにおいて、第一の基地局及び第二の基地局と通信を行うユーザ装置であって、
バッファ内に蓄積されている上りデータ量が所定の閾値を超えているか否かに応じて、上りリンクにベアラスプリットを適用するのか否かを切替える切替部と、
上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、
前記送信部は、上りリンクにベアラスプリットが適用される前に前記第一の基地局にバッファ量報告情報を送信済みである場合であって、かつ、前記第一の基地局から上りリンクの無線リソース割当て情報を受信する前に上りリンクにベアラスプリットを適用するように切替えられた場合、バッファ内に蓄積されている上りデータ量から前記第一の基地局に送信したバッファ量報告情報に含まれるデータ量を除いたデータ量をバッファ量報告情報に含めて前記第二の基地局に送信する、ユーザ装置。
【請求項２】
前記送信部は、所定の時間が経過しても前記第一の基地局から上りリンクの無線リソース割当て情報を受信出来ない場合、前記第二の基地局にバッファ量報告情報を送信する、請求項１に記載のユーザ装置。
【請求項３】
前記所定の時間は、上りリンクにベアラスプリットが適用される前に前記第一の基地局にバッファ量報告情報を送信した時点からの時間、当該ユーザ装置のバッファ内に蓄積されているＰＤＣＰ  ＳＤＵに対応するバッファ量報告情報を送信した時点からの時間、又は、上りリンクにベアラスプリットを適用するように切替えられた時点からの時間である、請求項２に記載のユーザ装置。
【請求項４】
上りリンクのキャリアアグリゲーションをサポートする無線通信システムにおいて、第一の基地局及び第二の基地局と通信を行うユーザ装置であって、
バッファ内に蓄積されている上りデータ量が所定の閾値を超えているか否かに応じて、上りリンクにベアラスプリットを適用するのか否かを切替える切替部と、
上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、
前記送信部は、上りリンクにベアラスプリットが適用されている間に前記第一の基地局及び前記第二の基地局にバッファ量報告情報を送信済みであり、かつ、上りリンクにベアラスプリットを適用しないように切替えられた場合、前記第一の基地局にバッファ量報告情報を送信しない、ユーザ装置。
【請求項５】
前記送信部は、所定の時間が経過しても前記第一の基地局又は前記第二の基地局から上りリンクの無線リソース割当て情報を受信出来ない場合、前記第一の基地局にバッファ量報告情報を送信する、請求項１に記載のユーザ装置。
【請求項６】
前記所定の時間は、上りリンクにベアラスプリットが適用されている間に前記第一の基地局又は前記第二の基地局にバッファ量報告情報を送信した時点からの時間、当該ユーザ装置のバッファ内に蓄積されているＰＤＣＰ  ＳＤＵに対応するバッファ量報告情報を送信した時点からの時間、又は、上りリンクにベアラスプリットを適用しないように切替えられた時点からの時間である、請求項５に記載のユーザ装置。
【請求項７】
上りリンクのキャリアアグリゲーションをサポートする無線通信システムにおいて、第一の基地局及び第二の基地局と通信を行うユーザ装置であって、
スプリットベアラに係るバッファ内に蓄積されている上りデータ量が所定の閾値を超えているか否かに応じて、上りリンクにベアラスプリットを適用するのか否かを切替える切替部と、
上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、
前記送信部は、前記第二の基地局から受信した上りリンクの無線リソース割当て情報において、前記第二の基地局向けのベアラに対応するＵＬデータ量を超えた無線リソースが割当てられている場合、前記バッファ内に蓄積されている上りデータ量が前記所定の閾値を超えているのか否かに関わらず、前記第二の基地局向けのベアラに対応するＵＬデータ量を超えた無線リソースを用いてスプリットベアラに対するＵＬデータを前記第二の基地局に送信する、ユーザ装置。
【請求項８】
前記送信部は、前記第二の基地局向けのベアラに対応するＵＬデータ量を超えた無線リソースを用いてスプリットベアラに対するＵＬデータを前記第二の基地局に送信すると共に、前記第二の基地局にＢＳＲを送信する、請求項７に記載のユーザ装置。
【請求項９】
上りリンクのキャリアアグリゲーションをサポートする無線通信システムにおいて、第一の基地局及び第二の基地局と通信を行うユーザ装置が行う通信方法であって、
バッファ内に蓄積されている上りデータ量が所定の閾値を超えているか否かに応じて、上りリンクにベアラスプリットを適用するのか否かを切替える切替ステップと、
上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信ステップと、を有し、
前記送信ステップにおいて、上りリンクにベアラスプリットが適用される前に前記第一の基地局にバッファ量報告情報を送信済みである場合であって、かつ、前記第一の基地局から上りリンクの無線リソース割当て情報を受信する前に上りリンクにベアラスプリットを適用するように切替えられた場合、バッファ内に蓄積されている上りデータ量から前記第一の基地局に送信したバッファ量報告情報に含まれるデータ量を除いたデータ量をバッファ量報告情報に含めて前記第二の基地局に送信する、通信方法。
【請求項１０】
上りリンクのキャリアアグリゲーションをサポートする無線通信システムにおいて、第一の基地局及び第二の基地局と通信を行うユーザ装置が行う通信方法であって、
バッファ内に蓄積されている上りデータ量が所定の閾値を超えているか否かに応じて、上りリンクにベアラスプリットを適用するのか否かを切替える切替ステップと、
上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信ステップと、を有し、
前記送信ステップにおいて、上りリンクにベアラスプリットが適用されている間に前記第一の基地局及び前記第二の基地局にバッファ量報告情報を送信済みであり、かつ、上りリンクにベアラスプリットを適用しないように切替えられた場合、前記第一の基地局にバッファ量報告情報を送信しない、通信方法。
【発明の詳細な説明】
【技術分野】
【０００１】
本発明は、ユーザ装置及び通信方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Carrier Aggregation）が採用されている。キャリアアグリゲーションにおいて基本単位となるキャリアはコンポーネントキャリア（ＣＣ：Component Carrier）と呼ばれる。
【０００３】
ＣＡが行われる際には、ユーザ装置に対して、接続性を担保する信頼性の高いセルであるＰＣｅｌｌ（Primary Cell：プライマリセル）及び付随的なセルであるＳＣｅｌｌ（Secondary Cell：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Radio Link Monitoring）及びＳＰＳ（Semi-Persistent Scheduling）等をサポートする単独のセルと同様のセルである。
【０００４】
ＳＣｅｌｌは、ＰＣｅｌｌに追加されてユーザ装置に対して設定されるセルである。ＳＣｅｌｌの追加及び削除は、ＲＲＣ（Radio Resource Control）シグナリングによって行われる。ＳＣｅｌｌは、ユーザ装置に対して設定された直後は、非アクティブ状態（deactivate状態）であるため、アクティブ化することで初めて通信可能（スケジューリング可能）となるセルである。
【０００５】
図１に示すように、ＬＴＥのＲｅｌ−１０のＣＡでは、同一基地局配下の複数のＣＣを用いている。
【０００６】
一方、Ｒｅｌ−１２では、異なる基地局配下のＣＣを用いて同時通信を行い、高スループットを実現するＤｕａｌ  ｃｏｎｎｅｃｔｉｖｉｔｙ（二重接続）が提案されている。つまり、Ｄｕａｌ  ｃｏｎｎｅｃｔｉｖｉｔｙでは、ユーザ装置は、２つの物理的に異なる基地局の無線リソースを同時に使用して通信を行う。
【０００７】
Ｄｕａｌ  ｃｏｎｎｅｃｔｉｖｉｔｙはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図４に、Ｄｕａｌ  ｃｏｎｎｅｃｔｉｖｉｔｙの例を示す。図２の例では、ＭｅＮＢがＣＣ＃１でユーザ装置と通信を行い、ＳｅＮＢがＣＣ＃２でユーザ装置と通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Master Cell Group、マスターセルグループ）、ＳｅＮＢ配下のセル（１つ又は複数）で構成されるセルグループをＳＣＧ（Secondary Cell Group、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（primary SCell）と呼ぶ。
【０００９】
また、ＤＣでは、スプリットベアラ（Split bearer）と呼ばれるベアラが規定されている。
【００１０】
図３は、ＤＣで用いられるベアラ及びプロトコルアーキテクチャを説明するための図である。ＤＣでは、従来と同様のベアラであるＭＣＧベアラ及びＳＣＧベアラと、スプリットベアラとが規定されている。図３（ａ）は、ＭＣＧベアラ及びＳＣＧベアラのプロトコルアーキテクチャを示しており、図３（ｂ）は、スプリットベアラのアーキテクチャを示している。
【００１１】
スプリットベアラとは、図３（ｂ）に示すように、ＰＤＣＰ（Packet Data Control Protocol）レイヤより下位のレイヤ（ＲＬＣ（Radio Link Control）レイヤ、ＭＡＣ（Media Access Control）レイヤ及び物理（ＰＨＹ：Physical）レイヤにおいて、データ（ＰＤＣＰ  ＰＤＵ）を基地局ＭｅＮＢ及び基地局ＳｅＮＢの両方の無線リソースを用いてユーザ装置ＵＥに転送することが可能なベアラである。スプリットベアラを用いることで、ユーザ装置ＵＥに伝送されるデータのスループット向上を図ることができる。
【先行技術文献】
【非特許文献】
【００１２】
【非特許文献１】３ＧＰＰ  ＴＳ  ３６．３００  Ｖ１２．６．０  （２０１５−０６）
【発明の概要】
【発明が解決しようとする課題】
【００１３】
Ｒｅｌ−１２のスプリットベアラでは、基地局ＭｅＮＢ及び基地局ＳｅＮＢの両方の無線リソースを用いてデータ（ユーザのＩＰパケット）を送信してスループット向上できるのは下りリンクのみであり、上りリンクのデータは、基地局ＭｅＮＢ又は基地局ＳｅＮＢのどちらか一方の無線リソースのみを用いて送信する必要があった。一方、Ｒｅｌ−１３では、上りリンクに対しても、基地局ＭｅＮＢ又は基地局ＳｅＮＢの両方の無線リソースを用いてデータを送信可能にすることが議論されている。
【００１４】
具体的な実現方法として、Ｒｅｌ−１３では、ユーザ装置ＵＥ、基地局ＭｅＮＢ及び基地局ＳｅＮＢは、以下（１）〜（３）の規定に従って動作することが議論されている。
（１）：ＵＬ（Uplink）  ＰＤＣＰバッファ内のデータ滞留量が所定の閾値を上回る場合（又は所定の閾値以上の場合）、ユーザ装置ＵＥはＭｅＮＢ及びＳｅＮＢの両方にＢＳＲ（Buffer Status Report）を送信（トリガ）する。また、ユーザ装置ＵＥは、基地局ＭｅＮＢ又は基地局ＳｅＮＢの両方にデータを送信する。なお、ＵＰ  ＰＤＣＰバッファとは、ユーザ装置ＵＥにおいて、スプリットベアラに係る上りリンクのＰＤＣＰエンティティが備えるバッファを意味する。
（２）：ＵＬ  ＰＤＣＰバッファ内のデータ滞留量が所定の閾値以下である場合（又は所定の閾値未満の場合）、ユーザ装置ＵＥは、予めネットワークから指示された基地局（ＭｅＮＢ及びＳｅＮＢのいずれか一方）に、ＢＳＲを送信（トリガ）する。また、ユーザ装置ＵＥは、予めネットワークから指示された基地局（ＭｅＮＢ及びＳｅＮＢのいずれか一方）のみにデータを送信する。
（３）基地局ＭｅＮＢ及び基地局ＳｅＮＢは、ユーザ装置ＵＥからＢＳＲを受信した場合に、ＢＳＲで通知されたデータ量が所定の閾値を上回る場合（又は所定の閾値以上の場合）、予め定められた割合（例えば、基地局ＭｅＮＢ＝４０％、基地局ＳｅＮＢ＝６０％）に従い上りリンクのスケジューリングを行う。例えば、基地局ＭｅＮＢの割合は４０％と定められている場合に、ＢＳＲで通知されたバッファ量が１０００バイトであった場合、基地局ＭｅＮＢは４００バイトのスケジューリングを行う。（３）の規定は、ユーザ装置ＵＥは（１）の規定により基地局ＭｅＮＢ及び基地局ＳｅＮＢの両方にＢＳＲを送信するため、基地局ＭｅＮＢ及び基地局ＳｅＮＢの両方から無線リソースが過剰に割り当てられてしまうのを防止するための規定である。なお、（１）〜（３）の規定における「所定の閾値」は共通である。
【００１５】
以下の説明において、ＵＬ  ＰＤＣＰバッファ内のデータ滞留量が所定の閾値を上回る場合（又は所定の閾値以上の場合）を、便宜上「上りリンクにベアラスプリットが適用される状態」、「上りリンクのベアラスプリットが有効（ＯＮ）の状態」、「ベアラスプリットが適用される」、「ベアラスプリットはＯＮである」等と言う。また、ＵＬ  ＰＤＣＰバッファ内のデータ滞留量が所定の閾値以下の場合（又は所定の閾値未満の場合）を、便宜上「上りリンクにベアラスプリットが適用されない状態」、「上りリンクのベアラスプリットが無効（ＯＦＦ）の状態」、「ベアラスプリットは適用されない」、「ベアラスプリットはＯＦＦである」等と言う。また、ＵＬ  ＰＤＣＰバッファ内のデータ滞留量が所定の閾値以下の状態（又は所定の閾値未満の状態）から所定の閾値を上回る状態（又は所定の閾値以上の状態）になることを、「ベアラスプリットがＯＮに切り替わる」等と言い、その逆を「ベアラスプリットがＯＦＦに切り替わる」等と言う。また、ＵＬ  ＰＤＣＰバッファを単に「バッファ」と言うことがある。
【００１６】
ここで、上述の（１）〜（３）の規定に従って動作した場合であっても、特定の状況によっては無線リソースが過剰に割当てられ、上りの無線リソースに無駄が生じてしまう場合がある。
【００１７】
図４は、課題を説明するための図（その１）である。図４において、所定の閾値は１０００バイトである前提とする。また、ＢＳＲの報告値が所定の閾値以上である場合、基地局ＭｅＮＢは４０％の割合でスケジューリングを行い、基地局ＳｅＮＢは６０％の割合でスケジューリングを行うように指定されている前提とする。
【００１８】
まず、ユーザ装置ＵＥのバッファに５００バイトのＰＤＣＰ  ＳＤＵが格納される（Ｓ１１）。この状態ではユーザ装置ＵＥのバッファ内のデータ滞留量は所定の閾値未満であるため、ベアラスプリットはＯＦＦである。続いて、ユーザ装置ＵＥはベアラスプリットがＯＦＦであるため、基地局ＭｅＮＢのみにＢＳＲ（５００バイト）を送信する（Ｓ１２）。
【００１９】
ここで、１５００バイトの新たなＰＤＣＰ  ＳＤＵがユーザ装置ＵＥのバッファに追加され、ベアラスプリットがＯＮに切り替わる（Ｓ１３）。ユーザ装置ＵＥは、ベアラスプリットがＯＮに切り替わったため、その時点のバッファ滞留量に従って基地局ＳｅＮＢにＢＳＲ（１５００バイト）を送信する（Ｓ１４）。
【００２０】
続いて、基地局ＭｅＮＢは、ステップＳ１２で受信したＢＳＲ（５００バイト）に対してスケジューリングを行い、ＵＬグラント（５００バイト）をユーザ装置ＵＥに送信する（Ｓ１５）。ユーザ装置ＵＥは、基地局ＭｅＮＢにデータ（５００バイト）を送信すると共に、その時点のバッファ滞留量に従ってＢＳＲ（１０００バイト）を送信する（Ｓ１６）。
【００２１】
続いて、基地局ＳｅＮＢは、ステップＳ１４で受信したＢＳＲ（１５００バイト）に対してスケジューリングを行う。ここで、ＢＳＲで報告されたバッファ滞留量が所定の閾値以上であるため、基地局ＳｅＮＢは１５００バイト×６０％＝９００バイトのスケジューリングを行い、ＵＬグラント（９００バイト）をユーザ装置ＵＥに送信する（Ｓ１８）。
【００２２】
続いて、基地局ＭｅＮＢは、ステップＳ１６で受信したＢＳＲ（１０００バイト）に対してスケジューリングを行う。ここで、ＢＳＲで報告されたバッファ滞留量が所定の閾値以上であるため、基地局ＭｅＮＢは１０００バイト×４０％＝４００バイトのスケジューリングを行い、ＵＬグラント（４００バイト）をユーザ装置ＵＥに送信する（Ｓ１９）。
【００２３】
以上説明した状況において、ユーザ装置ＵＥで発生したデータ量（ＰＤＣＰ  ＳＤＵのサイズ）は１５００バイトであるにも関わらず、基地局ＭｅＮＢ及び基地局ＳｅＮＢが割当てた上り無線リソースは、５００バイト（ステップＳ１５）＋９００バイト（ステップ１８）＋４００バイト（ステップＳ１９）＝１８００バイトである。すなわち、無線リソースに無駄が生じてしまうことになる。
【００２４】
図５は、課題を説明するための図（その２）である。図５において、所定の閾値は１０００バイトである前提とする。また、ＢＳＲの報告値が所定の閾値以上である場合、基地局ＭｅＮＢは４０％の割合でスケジューリングを行い、基地局ＳｅＮＢは６０％の割合でスケジューリングを行うように指定されている前提とする。
【００２５】
まず、ユーザ装置ＵＥのバッファに１５００バイトのＰＤＣＰ  ＳＤＵが格納される（Ｓ２１）。この状態ではユーザ装置ＵＥのバッファ内のデータ滞留量は所定の閾値以上であるため、ベアラスプリットはＯＮである。続いて、ユーザ装置ＵＥはベアラスプリットがＯＮであるため、基地局ＭｅＮＢ及び基地局ＳｅＮＢにそれぞれＢＳＲ（１５００バイト）を送信する（Ｓ２２、Ｓ２３）。
【００２６】
続いて、基地局ＭｅＮＢは、ステップＳ２２で受信したＢＳＲ（１５００バイト）に対してスケジューリングを行う。ここで、ＢＳＲで報告されたバッファ滞留量が所定の閾値以上であるため、基地局ＭｅＮＢは１５００バイト×４０％＝６００バイトのスケジューリングを行い、ＵＬグラント（６００バイト）をユーザ装置ＵＥに送信する（Ｓ２４）。
【００２７】
続いて、ユーザ装置ＵＥは、基地局ＭｅＮＢにデータ（６００バイト）を送信すると共に、その時点のバッファ滞留量に従ってＢＳＲ（９００バイト）を送信する（Ｓ２５）。この時点でユーザ装置ＵＥのバッファ滞留量は９００バイトに減少するため、ベアラスプリットがＯＦＦに切り替わる（Ｓ２６）。
【００２８】
続いて、基地局ＳｅＮＢは、ステップＳ２３で受信したＢＳＲ（１５００バイト）に対してスケジューリングを行う。ここで、ＢＳＲで報告されたバッファ滞留量が所定の閾値以上であるため、基地局ＳｅＮＢは１５００バイト×６０％＝９００バイトのスケジューリングを行い、ＵＬグラント（９００バイト）をユーザ装置ＵＥに送信する（Ｓ２７）。
【００２９】
続いて、基地局ＭｅＮＢは、ステップＳ２５で受信したＢＳＲ（９００バイト）に対してスケジューリングを行い、ＵＬグラント（９００バイト）をユーザ装置ＵＥに送信する（Ｓ２８）。
【００３０】
以上説明した状況において、ユーザ装置ＵＥで発生したデータ量（ＰＤＣＰ  ＳＤＵのサイズ）は１５００バイトであるにも関わらず、基地局ＭｅＮＢ及び基地局ＳｅＮＢが割当てた無線リソースは、６００バイト（ステップＳ２４）＋９００バイト（ステップ２７）＋９００バイト（ステップＳ２８）＝２４００バイトである。すなわち、上りの無線リソースに無駄が生じてしまうことになる。
【００３１】
図６は、課題を説明するための図（その３）である。図６において、所定の閾値は１０００バイトである前提とする。なお、図６は、ユーザ装置ＵＥが、スプリットベアラ及びＭＣＧベアラの両方を用いて通信を行っている状況を想定したものである。
【００３２】
まず、ユーザ装置ＵＥのバッファ内に、スプリットベアラに対するデータ及びＭＣＧベアラに対するデータがそれぞれ５００バイト滞留しており（Ｓ３１）、基地局ＭｅＮＢはＵＬグラント（８００バイト）をユーザ装置ＵＥに送信した（Ｓ３２）と仮定する。
【００３３】
ユーザ装置ＵＥは、ベアラスプリットがＯＦＦであるため、ＭＣＧベアラに対するデータ（５００バイト）のみを基地局ＭｅＮＢに送信する（Ｓ３３）。
【００３４】
ここで、基地局ＭｅＮＢから受信したＵＬグラントは８００バイトであるが、ＭＣＧベアラに対するデータは５００バイトであるため、３００バイトの無線リソースが余ることになる。しかしながら、ベアラスプリットはＯＦＦであるため、前述の（２）の規定に従うと、ユーザ装置ＵＥはスプリットベアラに対するデータを基地局ＭｅＮＢに送信することができない。つまり、上りの無線リソースに無駄が生じてしまうことになる。
【００３５】
開示の技術は上記に鑑みてなされたものであって、スプリットベアラに係る通信において、上りの無線リソースに無駄が発生するのを回避することができる技術を提供することを目的とする。
【課題を解決するための手段】
【００３６】
開示の技術のユーザ装置は、上りリンクのキャリアアグリゲーションをサポートする無線通信システムにおいて、第一の基地局及び第二の基地局と通信を行うユーザ装置であって、バッファ内に蓄積されている上りデータ量が所定の閾値を超えているか否かに応じて、上りリンクにベアラスプリットを適用するのか否かを切替える切替部と、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、前記送信部は、上りリンクにベアラスプリットが適用される前に前記第一の基地局にバッファ量報告情報を送信済みである場合であって、かつ、前記第一の基地局から上りリンクの無線リソース割当て情報を受信する前に上りリンクにベアラスプリットを適用するように切替えられた場合、バッファ内に蓄積されている上りデータ量から前記第一の基地局に送信したバッファ量報告情報に含まれるデータ量を除いたデータ量をバッファ量報告情報に含めて前記第二の基地局に送信する。
【発明の効果】
【００３７】
開示の技術によれば、スプリットベアラに係る通信において、上りの無線リソースに無駄が発生するのを回避することができる技術が提供される。
【図面の簡単な説明】
【００３８】
【図１】Ｒｅｌ−１０ＬＴＥのＣＡを説明するための図である。
【図２】Ｒｅｌ−１２で導入されたＤＣの例を示す図である。
【図３】ＤＣで用いられるベアラ及びプロトコルアーキテクチャを説明するための図である。
【図４】課題を説明するための図（その１）である。
【図５】課題を説明するための図（その２）である。
【図６】課題を説明するための図（その３）である。
【図７】実施の形態における無線通信システムの構成の一例を示す図である。
【図８】ユーザ装置が行う処理手順（その１）を説明するためのシーケンス図である。
【図９】処理手順（その１）に対する新たな課題を説明するための図である。
【図１０】ユーザ装置におけるタイマ処理（その１）を説明するためのシーケンス図である。
【図１１】ユーザ装置が行う処理手順（その２）を説明するためのシーケンス図である。
【図１２】ユーザ装置におけるタイマ処理（その２）を説明するためのシーケンス図である。
【図１３】ユーザ装置が行う処理手順（その３）を説明するためのシーケンス図である。
【図１４】処理手順（その３）に対する新たな課題を説明するための図である。
【図１５】ユーザ装置が行うデータ送信手順を説明するためのシーケンス図である。
【図１６】実施の形態におけるユーザ装置の機能構成の一例を示す図である。
【発明を実施するための形態】
【００３９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００４０】
＜概要＞
図７は、実施の形態における無線通信システムの構成の一例を示す図である。図７に示すように、本実施の形態における無線通信システムは、基地局ＭｅＮＢ、基地局ＳｅＮＢ及びユーザ装置ＵＥを含む無線通信システムである。また、ユーザ装置ＵＥは、基地局ＭｅＮＢ及び基地局ＳｅＮＢとの間でＤＣを用いたＣＡ通信を行うことが可能である。なお、図７では、ユーザ装置ＵＥは１つ示されているが、これは図示の便宜上のものであり、ユーザ装置ＵＥは複数存在してもよい。以下の説明において、基地局ＭｅＮＢ及び基地局ＳｅＮＢのうち任意の基地局は「基地局ｅＮＢ」と表す。
【００４１】
本実施の形態におけるユーザ装置ＵＥ及び基地局ｅＮＢは、ＤＣを用いたＣＡ通信を行う際に、ＭＣＧベアラ、ＳＣＧベアラ及びスプリットベアラを用いて通信を行うことができる。また、スプリットベアラを用いて通信を行う場合、前述の（１）〜（３）の規定に従い、上りリンクにおいて基地局ＭｅＮＢ及び基地局ＳｅＮＢの両方の無線リソースを用いてデータ送信を行うことができる。
【００４２】
前述の（２）の規定によれば、ユーザ装置ＵＥは、ベアラスプリットがＯＦＦの場合、予めネットワークから指示された基地局にＢＳＲを送信（トリガ）する。更に、ユーザ装置ＵＥは、予めネットワークから指示された基地局にデータを送信する。以下の説明において、ユーザ装置ＵＥが予めネットワークから指示された基地局を、便宜上「ｉｎｄｉｃａｔｅｄ基地局」と呼び、他方の基地局を便宜上「ｎｏｎ−ｉｎｄｉｃａｔｅｄ基地局」と呼ぶ。具体的には、ｉｎｄｉｃａｔｅｄ基地局が基地局ＭｅＮＢである場合、ｎｏｎ−ｉｎｄｉｃａｔｅｄ基地局は基地局ＳｅＮＢである。逆に、ｉｎｄｉｃａｔｅｄ基地局が基地局ＳｅＮＢである場合、ｎｏｎ−ｉｎｄｉｃａｔｅｄ基地局は基地局ＭｅＮＢである。
【００４３】
なお、実施の形態において、「ＵＬ  ＰＤＣＰバッファに蓄積されたデータの滞留量」とは、ＰＤＣＰバッファ内のＰＤＣＰ  ＳＤＵ（Service Data Unit）のデータ量を意味してもよいし、ＰＤＣＰバッファ内のデータ及びＲＬＣバッファ内のデータを合算したデータ量を意味してもよいし、ＰＤＣＰバッファからＲＬＣエンティティに送信されていないＰＤＣＰ  ＳＤＵ又は／及びＰＤＣＰ  ＰＤＵのデータ量を意味してもよいし、基地局ｅＮＢに送信されていないＰＤＣＰ  ＳＤＵ又は／及びＰＤＣＰ  ＰＤＵのデータ量を意味してもよい。
【００４４】
＜処理手順＞
本実施の形態におけるユーザ装置ＵＥは、スプリットベアラを用いた通信を行う際に、上りの無線リソースに無駄が発生するのを回避するように動作する。以下、具体的な処理手順を説明する。
【００４５】
（処理手順（その１））
本処理手順では、ユーザ装置ＵＥは、ベアラスプリットがＯＮに切り替わる前にｉｎｄｉｃａｔｅｄ基地局にＢＳＲを送信済みである場合であって、かつ、ｉｎｄｉｃａｔｅｄ基地局からＵＬグラントを受信する前（或いは、ＵＬグラントに対するＰＵＳＣＨ送信を行う前、或いは、当該ＰＵＳＣＨ送信に対するＡＣＫを受ける前）にベアラスプリットがＯＮに切り替わった場合、バッファ内のデータ量から既にｉｎｄｉｃａｔｅｄ基地局に報告済みのデータ量を除いたデータ量を含むＢＳＲをｎｏｎ−ｉｎｄｉｃａｔｅｄ基地局に送信する。本処理手順によれば、図４で説明した問題点が解消されることになる。
【００４６】
図８は、ユーザ装置が行う処理手順（その１）を説明するためのシーケンス図である。図８において、ｉｎｄｉｃａｔｅｄ基地局は基地局ＭｅＮＢである前提で説明する。
【００４７】
ステップＳ１１１乃至ステップＳ１１３の処理手順は、それぞれ図４のステップＳ１１乃至ステップＳ１３と同一であるため説明は省略する。
【００４８】
ここで、ユーザ装置ＵＥは、ベアラスプリットがＯＮに切り替わる前であるステップＳ１１２の処理手順において、基地局ＭｅＮＢにＢＳＲ（５００バイト）を送信済みである。また、１５００バイトの新たなＰＤＣＰ  ＰＤＵがユーザ装置ＵＥのバッファに追加されることでベアラスプリットがＯＮに切り替わるが（Ｓ１１３）、ベアラスプリットがＯＮに切り替わる前までの間に、ステップＳ１１２の処理手順で送信したＢＳＲに対するＵＬグラントを基地局ＭｅＮＢから受信していない。従って、ステップＳ１１４の処理手順で、ユーザ装置ＵＥは、現時点でバッファに滞留しているデータ量（１５００バイト）から、既に基地局ＭｅＮＢに報告済みのデータ量（５００バイト）を除いた１０００バイトを含むＢＳＲを基地局ＳｅＮＢに送信する。
【００４９】
続いて、基地局ＭｅＮＢは、ステップＳ１１２で受信したＢＳＲ（５００バイト）に対してスケジューリングを行い、ＵＬグラント（５００バイト）をユーザ装置ＵＥに送信する（Ｓ１１５）。ユーザ装置ＵＥは、基地局ＭｅＮＢにデータ（５００バイト）を送信すると共に、その時点のバッファ滞留量に従ってＢＳＲ（１０００バイト）を送信する（Ｓ１１６）。
【００５０】
続いて、基地局ＳｅＮＢは、ステップＳ１１４で受信したＢＳＲ（１０００バイト）に対してスケジューリングを行う。ここで、ＢＳＲで報告されたバッファ滞留量が所定の閾値以上であるため、基地局ＳｅＮＢは１０００バイト×６０％＝６００バイトのスケジューリングを行い、ＵＬグラント（６００バイト）をユーザ装置ＵＥに送信する（Ｓ１１８）。
【００５１】
続いて、基地局ＭｅＮＢは、ステップＳ１７で受信したＢＳＲ（１０００バイト）に対してスケジューリングを行う。ここで、ＢＳＲで報告されたバッファ滞留量が所定の閾値以上であるため、基地局ＭｅＮＢは１０００バイト×４０％＝４００バイトのスケジューリングを行い、ＵＬグラント（４００バイト）をユーザ装置ＵＥに送信する（Ｓ１１９）。
【００５２】
以上説明した状況において、ユーザ装置ＵＥで発生したデータ量（ＰＤＣＰ  ＰＤＵのサイズ）は１５００バイトであり、基地局ＭｅＮＢ及び基地局ＳｅＮＢが割当てた無線リソースは、５００バイト（ステップＳ１１５）＋６００バイト（ステップ１１８）＋４００バイト（ステップＳ１１９）＝１５００バイトである。すなわち、図４の状況と異なり、無線リソースに無駄が生じないことになる。
【００５３】
次に、図８のステップＳ１１５の処理手順で基地局ＭｅＮＢから送信される予定のＵＬグラントをユーザ装置ＵＥが受信できない場合に発生する課題について説明する。
【００５４】
図９は、処理手順（その１）に対する新たな課題を説明するための図である。図９において、特に言及しない点は図８と同一でよい。
【００５５】
ステップＳ１２１乃至ステップＳ１２４は、それぞれ図８のステップＳ１１１乃至ステップＳ１１４と同一であるため説明は省略する。また、ステップＳ１２５の処理手順は、図８のステップＳ１１８と同一であるため説明は省略する。
【００５６】
ステップＳ１２６で、ユーザ装置ＵＥは、基地局ＳｅＮＢにデータ（６００バイト）を送信する。この時点でユーザ装置ＵＥのバッファ量は９００バイトになり、ベアラスプリットＯＦＦの状態に切り替わるため、ユーザ装置ＵＥは、前述の（２）の規則に従い、ステップＳ１２６の処理手順でＢＳＲを基地局ＳｅＮＢに送信しない。
【００５７】
この状態で、基地局ＭｅＮＢからＵＬグラントが受信できない場合、ユーザ装置ＵＥは、バッファ内のデータを基地局ＭｅＮＢに送信することができなくなってしまう。そこで、本課題を解決するために、ユーザ装置ＵＥは、所定の時間が経過してもｉｎｄｉｃａｔｅｄ基地局からＵＬグラントを受信出来ない場合、ｎｏｎ−ｉｎｄｉｃａｔｅｄ基地局にＢＳＲを送信するようにしてもよい。また、ユーザ装置ＵＥは、ｎｏｎ−ｉｎｄｉｃａｔｅｄ基地局にＢＳＲを送信する際に、スケジューリングリクエスト（ＳＲ）をｎｏｎ−ｉｎｄｉｃａｔｅｄ基地局にするようにしてもよい。
【００５８】
また、所定の時間は、ベアラスプリットがＯＮになる前（ベアラスプリットがＯＦＦの状態）にｉｎｄｉｃａｔｅｄ基地局にＢＳＲを送信した時点を基準に計測されてもよいし、バッファ内に蓄積されているＰＤＣＰ  ＳＤＵに対応するＢＳＲを送信した時点を基準に計測されてもよいし、ベアラスプリットがＯＮに切り替わった時点を基準に計測されてもよい。また、所定の時間は、基地局ｅＮＢからＲＲＣ信号又は報知情報（ＳＩＢ）でユーザ装置ＵＥに通知されてもよい。
【００５９】
図１０は、所定の時間が経過しても基地局ＭｅＮＢ（ｉｎｄｉｃａｔｅｄ基地局）からＵＬグラントを受信出来ないため、ユーザ装置ＵＥが、ステップＳ１３６においてＢＳＲ（９００バイト）を基地局ＳｅＮＢ（ｎｏｎ−ｉｎｄｉｃａｔｅｄ基地局）に送信した場合の例を示している。なお、図１０のステップＳ１３１乃至ステップＳ１３５及びステップＳ１３７は、それぞれ図９のステップＳ１２１乃至ステップＳ１２５及びＳ１２７と同一である。
【００６０】
基地局ＳｅＮＢは、ステップＳ１３６で受信したＢＳＲ（９００バイト）に対してスケジューリングを行い、ＵＬグラント（９００バイト）をユーザ装置ＵＥに送信する（Ｓ１３８）。ユーザ装置ＵＥは、基地局ＳｅＮＢにデータ（９００バイト）を送信する。なお、前述の（２）の規則では、ベアラスプリットがＯＦＦの場合、ユーザ装置ＵＥは、ｉｎｄｉｃａｔｅｄ基地局向けにしかデータを送信できない。すなわち、ユーザ装置ＵＥは、ステップＳ１３８で受信したＵＬグラントに対してデータを送信できないことになる。そこで、本実施の形態では、所定の時間が経過してｎｏｎ−ｉｎｄｉｃａｔｅｄ基地局にＢＳＲを送信した場合に限り、ベアラスプリットがＯＦＦの場合であっても、ユーザ装置ＵＥはｎｏｎ−ｉｎｄｉｃａｔｅｄ基地局にデータを送信可能としてもよい。
【００６１】
以上説明した処理手順によれば、ユーザ装置ＵＥは、基地局ＭｅＮＢからＵＬグラントが受信できない場合であっても、バッファ内のデータ（９００バイト）を基地局ＳｅＮＢに送信することが可能になる。
【００６２】
（処理手順（その２））
本処理手順では、ユーザ装置ＵＥは、ベアラスプリットがＯＮである間にｉｎｄｉｃａｔｅｄ基地局及びｎｏｎ−ｉｎｄｉｃａｔｅｄ基地局にＢＳＲを送信済みであり、かつ、ベアラスプリットがＯＦＦに切り替わった場合、ｉｎｄｉｃａｔｅｄ基地局にＢＳＲを送信しないようにする。本処理手順によれば、図５で説明した問題点が解消されることになる。
【００６３】
図１１は、ユーザ装置が行う処理手順（その２）を説明するためのシーケンス図である。図１１において、ｉｎｄｉｃａｔｅｄ基地局は基地局ＭｅＮＢである前提で説明する。
【００６４】
ステップＳ２０１乃至ステップＳ２０４の処理手順は、それぞれ図５のステップＳ２１乃至ステップＳ２４と同一であるため説明は省略する。
【００６５】
ここで、ユーザ装置ＵＥは、ベアラスプリットがＯＮである間に、ステップＳ２０２及びステップＳ２０３の処理手順で基地局ＭｅＮＢ及び基地局ＳｅＮＢにＢＳＲ（１５００バイト）を送信済みである。また、ユーザ装置ＵＥは、基地局ＭｅＮＢにデータ（６００バイト）を送信した場合、バッファ滞留量は９００バイトに減少するため、ベアラスプリットがＯＦＦに切り替わることになる。従って、ユーザ装置ＵＥは、ステップＳ２０５の処理手順において、データ（６００バイト）のみを基地局ＭｅＮＢに送信し、基地局ＭｅＮＢ（ｉｎｄｉｃａｔｅｄ基地局）にＢＳＲは送信しないようにする。
【００６６】
続いて、基地局ＳｅＮＢは、ステップＳ２０３で受信したＢＳＲ（１５００バイト）に対してスケジューリングを行う。ここで、ＢＳＲで報告されたバッファ滞留量が所定の閾値以上であるため、基地局ＳｅＮＢは１５００バイト×６０％＝９００バイトのスケジューリングを行い、ＵＬグラント（９００バイト）をユーザ装置ＵＥに送信する（Ｓ２０７）。
【００６７】
以上説明した状況において、ユーザ装置ＵＥで発生したデータ量（ＰＤＣＰ  ＳＤＵのサイズ）は１５００バイトであり、基地局ＭｅＮＢ及び基地局ＳｅＮＢが割当てた無線リソースは、６００バイト（ステップＳ２０４）＋９００バイト（ステップ２０７）＝１５００バイトである。すなわち、図５の状況と異なり、無線リソースに無駄が生じないことになる。なお、前述の（２）の規則では、ベアラスプリットがＯＦＦの場合、ユーザ装置ＵＥは、ｉｎｄｉｃａｔｅｄ基地局向けにしかデータを送信できない。すなわち、ユーザ装置ＵＥは、ステップＳ２０７で受信したＵＬグラントに対してデータを送信できないことになる。そこで、本実施の形態では、例えばベアラスプリットがＯＦＦに切り替わった後、特定の時間内に限り、ユーザ装置ＵＥは、ｎｏｎ−ｉｎｄｉｃａｔｅｄ基地局にデータを送信可能としてもよい。
【００６８】
次に、図１１のステップＳ２０４の処理手順で基地局ＭｅＮＢから送信される予定のＵＬグラント又はステップＳ２０７の処理手順で基地局ＳｅＮＢから送信される予定のＵＬグラントをユーザ装置ＵＥが受信できない場合に発生する課題について説明する。
【００６９】
ステップＳ２０４の処理手順で基地局ＭｅＮＢから送信される予定のＵＬグラント又はステップＳ２０７の処理手順で基地局ＳｅＮＢから送信される予定のＵＬグラントをユーザ装置ＵＥが受信できない場合、ユーザ装置ＵＥは、バッファ内のデータを基地局ＭｅＮＢ及び基地局ＳｅＮＢに送信することができなくなってしまう。つまり、ステップＳ２０４の処理手順で基地局ＭｅＮＢから送信される予定のＵＬグラントが受信できない場合、ユーザ装置ＵＥは、基地局ＭｅＮＢにデータを送信できなくなり、ステップＳ２０７の処理手順で基地局ＳｅＮＢから送信される予定のＵＬグラントが受信できない場合、ユーザ装置ＵＥは、基地局ＳｅＮＢにデータを送信できなくなってしまう。
【００７０】
そこで、本課題を解決するために、ユーザ装置ＵＥは、所定の時間が経過してもｉｎｄｉｃａｔｅｄ基地局又はｎｏｎ−ｉｎｄｉｃａｔｅｄ基地局からＵＬグラントを受信出来ない場合、ｉｎｄｉｃａｔｅｄ基地局にＢＳＲを送信するようにしてもよい。また、ユーザ装置ＵＥは、ｉｎｄｉｃａｔｅｄ基地局にＢＳＲを送信する際に、スケジューリングリクエスト（ＳＲ）をｉｎｄｉｃａｔｅｄ基地局にするようにしてもよい。
【００７１】
また、所定の時間は、ベアラスプリットがＯＮである間にｉｎｄｉｃａｔｅｄ基地局及びｎｏｎ−ｉｎｄｉｃａｔｅｄ基地局のうちいずれか一方にＢＳＲを送信した時点を基準に計測されてもよいし、バッファ内に蓄積されているＰＤＣＰ  ＳＤＵに対応するＢＳＲを送信した時点を基準に計測されてもよいし、ベアラスプリットがＯＦＦに切り替わった時点を基準に計測されてもよい。また、所定の時間は、基地局ｅＮＢからＲＲＣ信号又は報知情報（ＳＩＢ）でユーザ装置ＵＥに通知されてもよい。また、所定の時間は、処理手順（その１）で説明した所定の時間と同一の時間であってもよいし、異なる時間であってもよい。
【００７２】
図１２は、基地局ＳｅＮＢから送信される予定のＵＬグラントを、所定の時間が経過してもユーザ装置ＵＥが受信できない場合に、ユーザ装置ＵＥが基地局ＭｅＮＢ（ｉｎｄｉｃａｔｅｄ基地局）にＢＳＲを送信（Ｓ２１７）する場合の例を示している。なお、図１２のステップＳ２１１乃至ステップＳ２１６は、それぞれ図１１のステップＳ２０１乃至ステップＳ２０６と同一である。
【００７３】
基地局ＭｅＮＢは、ステップＳ２１７で受信したＢＳＲ（９００バイト）に対してスケジューリングを行い、ＵＬグラント（９００バイト）をユーザ装置ＵＥに送信する（Ｓ２１８）。ユーザ装置ＵＥは、基地局ＭｅＮＢにデータ（９００バイト）を送信する（Ｓ２１９）。
【００７４】
以上説明した処理手順によれば、ユーザ装置ＵＥは、基地局ＭｅＮＢ又は基地局ＳｅＮＢからＵＬグラントが受信できない場合であっても、バッファ内のデータ（９００バイト）を基地局ＭｅＮＢに送信することが可能になる。
【００７５】
（処理手順（その３））
本処理手順では、ユーザ装置ＵＥは、ベアラスプリットがＯＦＦである場合であっても、スプリットベアラに対するデータをｎｏｎ−ｉｎｄｉｃａｔｅｄ基地局に送信するようにする。本処理手順によれば、図６で説明した問題点が解消されることになる。
【００７６】
図１３は、ユーザ装置が行う処理手順（その３）を説明するためのシーケンス図である。図１３において、ｉｎｄｉｃａｔｅｄ基地局は基地局ＳｅＮＢである前提で説明する。つまり、基地局ＭｅＮＢは、ｎｏｎ−ｉｎｄｉｃａｔｅｄ基地局になる。
【００７７】
まず、ユーザ装置ＵＥのバッファ内に、スプリットベアラに対するデータ及びＭＣＧベアラに対するデータがそれぞれ５００バイト滞留しており（Ｓ３０１）、基地局ＭｅＮＢはＵＬグラント（８００バイト）をユーザ装置ＵＥに送信した（Ｓ３０２）と仮定する。
【００７８】
ユーザ装置ＵＥは、ＭＣＧベアラに対するデータ（５００バイト）を基地局ＭｅＮＢに送信すると共に、スプリットベアラに対するデータ（３００バイト）を基地局ＭｅＮＢに送信する（Ｓ３０３）。
【００７９】
以上説明した処理手順によれば、ＵＬグラントで割当てられた無線リソースを有効活用できることになる。
【００８０】
ここで、ユーザ装置ＵＥ内で、スプリットベアラに対するデータがＭＣＧベアラに対するデータよりも優先度が高く設定されていたと仮定する。この場合、ユーザ装置ＵＥは、受信したＵＬグラントに対して、優先度が高いベアラに対するデータを先に基地局ＭｅＮＢに送信することになる。
【００８１】
図１４は、処理手順（その３）に対する新たな課題を説明するための図である。図１４において、スプリットベアラに対するデータがＭＣＧベアラに対するデータよりも優先度が高く設定されている前提とする。なお、特に言及しない点は図１３と同一でよい。
【００８２】
まず、ユーザ装置ＵＥのバッファ内に、スプリットベアラに対するデータ及びＭＣＧベアラに対するデータがそれぞれ５００バイト滞留しており（Ｓ３１１）、基地局ＭｅＮＢはＵＬグラント（２００バイト）をユーザ装置ＵＥに送信した（Ｓ３１２）と仮定する。
【００８３】
ユーザ装置ＵＥは、スプリットベアラに対するデータがＭＣＧベアラに対するデータよりも優先度が高く設定されているため、スプリットベアラに対するデータ（２００バイト）を優先的に基地局ＭｅＮＢに送信する。また、バッファ内にＭＣＧベアラに対するデータが５００バイト滞留しているため、ユーザ装置ＵＥは、基地局ＭｅＮＢにＢＳＲ（５００バイト）を送信する（Ｓ３１３）。この時点で、ユーザ装置ＵＥのバッファ内には、スプリットベアラに対するデータ及びＭＣＧベアラに対するデータが、それぞれ３００バイト及び５００バイト滞留していることになる（Ｓ３１４）。
【００８４】
続いて、基地局ＭｅＮＢは、ＵＬグラント（５００バイト）をユーザ装置ＵＥに送信する（Ｓ３１５）。ユーザ装置ＵＥは、スプリットベアラに対するデータ（３００バイト）を優先的に基地局ＭｅＮＢに送信すると共に、残りの無線リソースを用いてＭＣＧベアラに対するデータ（２００バイト）を基地局ＭｅＮＢに送信する。また、この時点でユーザ装置ＵＥのバッファ内には、ＭＣＧベアラに対するデータ（３００バイト）が滞留しているため、ＢＳＲ（３００バイト）を基地局ＭｅＮＢに送信する（Ｓ３１６）。
【００８５】
基地局ＭｅＮＢが送信するＵＬグラントは、ＭＣＧベアラに対するデータをユーザ装置ＵＥから基地局ＭｅＮＢに送信させることを目的とするものである。しかしながら、ベアラスプリットがＯＦＦである場合に、スプリットベアラに対するデータをｎｏｎ−ｉｎｄｉｃａｔｅｄ基地局に送信可能にしたことで、仮にスプリットベアラに対するデータがＭＣＧベアラに対するデータよりも優先度が高く設定されていると、ｎｏｎ−ｉｎｄｉｃａｔｅｄ基地局向けのベアラ（図１４ではＭＣＧベアラ）に対するデータがｎｏｎ−ｉｎｄｉｃａｔｅｄ基地局（図１４では基地局ＭｅＮＢ）に送信されにくくなってしまう。
【００８６】
そこで、本処理手順では、ユーザ装置ＵＥは、ｎｏｎ−ｉｎｄｉｃａｔｅｄ基地局から受信したＵＬグラントにおいて、ｎｏｎ−ｉｎｄｉｃａｔｅｄ基地局向けのベアラに対応するＵＬデータ量を超えた無線リソースが割当てられている場合、スプリットベアラに係るバッファ内に蓄積されているＵＬデータ量が所定の閾値を超えているか否かに関わらず（すなわち、ベアラスプリットがＯＮなのかＯＦＦなのかに関わらず）、ｎｏｎ−ｉｎｄｉｃａｔｅｄ基地局向けのベアラに対応するＵＬデータ量を超えた無線リソースを用いてスプリットベアラに対するＵＬデータをｎｏｎ−ｉｎｄｉｃａｔｅｄ基地局に送信するようにしてもよい。
【００８７】
図１５は、ユーザ装置が行うデータ送信手順を説明するためのシーケンス図である。図１５において、ｉｎｄｉｃａｔｅｄ基地局は基地局ＳｅＮＢである前提で説明する。また、スプリットベアラに対するデータがＭＣＧベアラに対するデータよりも優先度が高く設定されている前提とする。
【００８８】
まず、ユーザ装置ＵＥのバッファ内に、スプリットベアラに対するデータ及びＭＣＧベアラに対するデータが、それぞれ５００バイト滞留しており（Ｓ３２１）、基地局ＭｅＮＢはＵＬグラント（８００バイト）をユーザ装置ＵＥに送信した（Ｓ３２２）と仮定する。
【００８９】
ユーザ装置ＵＥは、スプリットベアラに対するデータがＭＣＧベアラに対するデータよりも優先度が高く設定されている場合であっても、先にＭＣＧベアラに対するデータ（５００バイト）を優先的に基地局ＭｅＮＢに送信すると共に、残りの無線リソースを用いてスプリットベアラに対するデータ（３００バイト）を基地局ＭｅＮＢに送信する。更に、ＭＣＧベアラに対するデータを全て送信したことを基地局ＭｅＮＢに通知するため、ＢＳＲを基地局ＭｅＮＢに送信する（Ｓ３２３）。なお、当該ＢＳＲを受信した基地局ＭｅＮＢは、上りのスケジューリングを停止することになる。本ＢＳＲの内容には、従来のＬＴＥにおけるｐａｄｄｉｎｇＢＳＲに対応する内容が含まれていてもよい。
【００９０】
以上説明した処理手順によれば、仮にスプリットベアラに対するデータがＭＣＧベアラに対するデータよりも優先度が高く設定されている場合であっても、ＭＣＧベアラに対するデータを優先的に基地局ＭｅＮＢに送信することが可能になる。また、ユーザ装置ＵＥがｐａｄｄｉｎＢＳＲを送信するようにしたことで、基地局ＭｅＮＢは、ＭＣＧベアラに対するデータが全て送信されたことに伴って上りのスケジューリングを停止することができる。
【００９１】
＜機能構成＞
図１５に、これまでに説明した処理を実行可能な本実施の形態に係るユーザ装置の機能構成図を示す。図１５に示すように、ユーザ装置ＵＥは、信号受信部１０１、信号送信部１０２、ＵＬ信号生成部１０３、切替部１０４を含む。図１５は、ＵＥにおいて本発明の実施の形態に特に関連する機能部のみを示すものであり、少なくともＬＴＥに準拠した動作を行うための図示しない機能も有するものである。また、図１５に示す機能構成は一例に過ぎない。本実施の形態に係る動作を実行できるのであれば、機能区分や機能部の名称はどのようなものでもよい。
【００９２】
信号受信部１０１は、基地局ｅＮＢから各種の信号を無線受信し、受信した物理レイヤの信号からより上位のレイヤの信号を取得する機能を含む。信号送信部１０２は、物理レイヤの各種信号を無線送信する機能を含む。信号受信部１０１及び信号送信部１０２はそれぞれ、複数のＣＣを束ねてＣＡ通信を行う機能を含む。また、信号受信部１０１及び信号送信部１０２はそれぞれ、基地局ＭｅＮＢ及び基地局ＳｅＮＢとの間でＤＣによるＣＡ通信を行う機能を含む。
【００９３】
また、信号送信部１０２は、ＵＬ  ＰＤＣＰバッファを有しており、ＵＬ信号生成部１０３で生成された上りデータをＵＬ  ＰＤＣＰバッファに蓄積する。また、信号送信部１０２は、切替部１０４の指示に応じて、上りリンクにベアラスプリットを適用する場合はｉｎｄｉｃａｔｅｄ基地局及びｎｏｎ−ｉｎｄｉｃａｔｅｄ基地局にＢＳＲ又は／及び上りデータを送信し、上りリンクにベアラスプリットを適用しない場合はｉｎｄｉｃａｔｅｄ基地局にＢＳＲ又は／及び上りデータを送信する。
【００９４】
また、信号送信部１０２は、上りリンクにベアラスプリットが適用される前にｉｎｄｉｃａｔｅｄ基地局にＢＳＲを送信済みである場合であって、かつ、ｉｎｄｉｃａｔｅｄ基地局からＵＬグラントを受信する前に上りリンクにベアラスプリットを適用するように切替えられた場合、バッファ内に蓄積されている上りデータ量からｉｎｄｉｃａｔｅｄ基地局に送信したＢＳＲに含まれるデータ量を除いたデータ量をＢＳＲに含めてｎｏｎ−ｉｎｄｉｃａｔｅｄ基地局に送信するようにしてもよい。
【００９５】
また、信号送信部１０２は、上りリンクにベアラスプリットが適用されている間にｉｎｄｉｃａｔｅｄ基地局及びｎｏｎ−ｉｎｄｉｃａｔｅｄ基地局にＢＳＲを送信済みであり、かつ、上りリンクにベアラスプリットを適用しないように切替えられた場合、ｉｎｄｉｃａｔｅｄ基地局にＢＳＲを送信しないようにしてもよい。
【００９６】
また、信号送信部１０２は、ｎｏｎ−ｉｎｄｉｃａｔｅｄ基地局から受信したＵＬグラントにおいて、ｎｏｎ−ｉｎｄｉｃａｔｅｄ基地局向けのベアラに対応するＵＬデータ量を超えた無線リソースが割当てられている場合、ｎｏｎ−ｉｎｄｉｃａｔｅｄ基地局向けのベアラに対応するＵＬデータ量を超えた無線リソースを用いてスプリットベアラに対するＵＬデータをｎｏｎ−ｉｎｄｉｃａｔｅｄ基地局に送信するようにしてもよい。
【００９７】
ＵＬ信号生成部１０３は、基地局ｅＮＢに送信する上りデータを生成する機能を有する。ＵＬ信号生成部１０３は、例えば、ユーザ装置ＵＥが備える各種アプリケーション等である。ＵＬ信号生成部１０３で生成された上りデータは、信号送信部１０２に渡される。なお、ＵＬ信号生成部１０３は、信号送信部１０２内に含まれていてもよい。
【００９８】
切替部１０４は、バッファ内に蓄積されている上りデータ量が所定の閾値を超えているか否か（又は所定の閾値以上であるか否か）に応じて、上りリンクにベアラスプリットを適用するのか否かを切替える機能を有する。
【００９９】
＜まとめ＞
以上、実施の形態によれば、上りリンクのキャリアアグリゲーションをサポートする無線通信システムにおいて、第一の基地局及び第二の基地局と通信を行うユーザ装置であって、バッファ内に蓄積されている上りデータ量が所定の閾値を超えているか否かに応じて、上りリンクにベアラスプリットを適用するのか否かを切替える切替部と、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、前記送信部は、上りリンクにベアラスプリットが適用される前に前記第一の基地局にバッファ量報告情報を送信済みである場合であって、かつ、前記第一の基地局から上りリンクの無線リソース割当て情報を受信する前に上りリンクにベアラスプリットを適用するように切替えられた場合、バッファ内に蓄積されている上りデータ量から前記第一の基地局に送信したバッファ量報告情報に含まれるデータ量を除いたデータ量をバッファ量報告情報に含めて前記第二の基地局に送信する、ユーザ装置が提供される。このユーザ装置ＵＥにより、スプリットベアラに係る通信において、上りの無線リソースに無駄が発生するのを回避することができる技術が提供される。
【０１００】
また、前記送信部は、所定の時間が経過しても前記第一の基地局から上りリンクの無線リソース割当て情報を受信出来ない場合、前記第二の基地局にバッファ量報告情報を送信するようにしてもよい。これにより、ユーザ装置ＵＥは、ｉｎｄｉｃａｔｅｄ基地局からＵＬグラントが受信できない場合であっても、ｎｏｎ−ｉｎｄｉｃａｔｅｄ基地局にデータを送信することが可能になる。
【０１０１】
また、前記所定の時間は、上りリンクにベアラスプリットが適用される前に前記第一の基地局にバッファ量報告情報を送信した時点からの時間、当該ユーザ装置のバッファ内に蓄積されているＰＤＣＰ  ＳＤＵに対応するバッファ量報告情報を送信した時点からの時間、又は、上りリンクにベアラスプリットを適用するように切替えられた時点からの時間であるようにしてもよい。これにより、ユーザ装置ＵＥは、所定の時間を様々な方法で計測することが可能になる。
【０１０２】
また、実施の形態によれば、上りリンクのキャリアアグリゲーションをサポートする無線通信システムにおいて、第一の基地局及び第二の基地局と通信を行うユーザ装置であって、バッファ内に蓄積されている上りデータ量が所定の閾値を超えているか否かに応じて、上りリンクにベアラスプリットを適用するのか否かを切替える切替部と、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、前記送信部は、上りリンクにベアラスプリットが適用されている間に前記第一の基地局及び前記第二の基地局にバッファ量報告情報を送信済みであり、かつ、上りリンクにベアラスプリットを適用しないように切替えられた場合、前記第一の基地局にバッファ量報告情報を送信しない、ユーザ装置が提供される。このユーザ装置ＵＥにより、スプリットベアラに係る通信において、上りの無線リソースに無駄が発生するのを回避することができる技術が提供される。
【０１０３】
また、前記送信部は、所定の時間が経過しても前記第一の基地局又は前記第二の基地局から上りリンクの無線リソース割当て情報を受信出来ない場合、前記第一の基地局にバッファ量報告情報を送信するようにしてもよい。これにより、ユーザ装置ＵＥは、ｉｎｄｉｃａｔｅｄ基地局又はｎｏｎ−ｉｎｄｉｃａｔｅｄ基地局からＵＬグラントが受信できない場合であっても、ｉｎｄｉｃａｔｅｄ基地局にデータを送信することが可能になる。
【０１０４】
前記所定の時間は、上りリンクにベアラスプリットが適用されている間に前記第一の基地局又は前記第二の基地局にバッファ量報告情報を送信した時点からの時間、当該ユーザ装置のバッファ内に蓄積されているＰＤＣＰ  ＳＤＵに対応するバッファ量報告情報を送信した時点からの時間、又は、上りリンクにベアラスプリットを適用しないように切替えられた時点からの時間であるようにしてもよい。これにより、ユーザ装置ＵＥは、所定の時間を様々な方法で計測することが可能になる。
【０１０５】
また、実施の形態によれば、上りリンクのキャリアアグリゲーションをサポートする無線通信システムにおいて、第一の基地局及び第二の基地局と通信を行うユーザ装置であって、スプリットベアラに係るバッファ内に蓄積されている上りデータ量が所定の閾値を超えているか否かに応じて、上りリンクにベアラスプリットを適用するのか否かを切替える切替部と、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信部と、を有し、前記送信部は、前記第二の基地局から受信した上りリンクの無線リソース割当て情報において、前記第二の基地局向けのベアラに対応するＵＬデータ量を超えた無線リソースが割当てられている場合、前記バッファ内に蓄積されている上りデータ量が前記所定の閾値を超えているのか否かに関わらず、前記第二の基地局向けのベアラに対応するＵＬデータ量を超えた無線リソースを用いてスプリットベアラに対するＵＬデータを前記第二の基地局に送信する、ユーザ装置が提供される。このユーザ装置ＵＥにより、スプリットベアラに係る通信において、上りの無線リソースに無駄が発生するのを回避することができる技術が提供される。
【０１０６】
また、前記送信部は、前記第二の基地局向けのベアラに対応するＵＬデータ量を超えた無線リソースを用いてスプリットベアラに対するＵＬデータを前記第二の基地局に送信すると共に、前記第二の基地局にＢＳＲを送信するようにしてもよい。これにより、ｎｏｎ−ｉｎｄｉｃａｔｅｄ基地局は、ｎｏｎ−ｉｎｄｉｃａｔｅｄ基地局向けのベアラの上りデータがユーザ装置ＵＥから全て送信された場合に、上りのスケジューリングを適切なタイミングで停止することができる。
【０１０７】
また、実施の形態によれば、上りリンクのキャリアアグリゲーションをサポートする無線通信システムにおいて、第一の基地局及び第二の基地局と通信を行うユーザ装置が行う通信方法であって、バッファ内に蓄積されている上りデータ量が所定の閾値を超えているか否かに応じて、上りリンクにベアラスプリットを適用するのか否かを切替える切替ステップと、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信ステップと、を有し、前記送信ステップにおいて、上りリンクにベアラスプリットが適用される前に前記第一の基地局にバッファ量報告情報を送信済みである場合であって、かつ、前記第一の基地局から上りリンクの無線リソース割当て情報を受信する前に上りリンクにベアラスプリットを適用するように切替えられた場合、バッファ内に蓄積されている上りデータ量から前記第一の基地局に送信したバッファ量報告情報に含まれるデータ量を除いたデータ量をバッファ量報告情報に含めて前記第二の基地局に送信する、通信方法が提供される。この通信方法により、スプリットベアラに係る通信において、上りの無線リソースに無駄が発生するのを回避することができる技術が提供される。
【０１０８】
また、実施の形態によれば、上りリンクのキャリアアグリゲーションをサポートする無線通信システムにおいて、第一の基地局及び第二の基地局と通信を行うユーザ装置が行う通信方法であって、バッファ内に蓄積されている上りデータ量が所定の閾値を超えているか否かに応じて、上りリンクにベアラスプリットを適用するのか否かを切替える切替ステップと、上りリンクにベアラスプリットを適用する場合は、前記第一の基地局及び前記第二の基地局にバッファ量報告情報を送信し、上りリンクにベアラスプリットを適用しない場合は、前記第一の基地局にバッファ量報告情報を送信する送信ステップと、を有し、前記送信ステップにおいて、上りリンクにベアラスプリットが適用されている間に前記第一の基地局及び前記第二の基地局にバッファ量報告情報を送信済みであり、かつ、上りリンクにベアラスプリットを適用しないように切替えられた場合、前記第一の基地局にバッファ量報告情報を送信しない、通信方法が提供される。この通信方法により、スプリットベアラに係る通信において、上りの無線リソースに無駄が発生するのを回避することができる技術が提供される。
【０１０９】
＜実施形態の補足＞
尚、上記説明では、ユーザ装置ＵＥが異なる複数の基地局ｅＮＢ（基地局ＭｅＮＢ及び基地局ＳｅＮＢ）と通信を行うことを想定していたが、本実施の形態は、同一の基地局ｅＮＢ内の異なる処理部間でキャリアアグリゲーションを行う際にも適用されてもよい。
【０１１０】
以上説明した処理手順（その１〜その３）を、任意に組み合わせるようにしてもよい。
【０１１１】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【符号の説明】
【０１１３】
ＭｅＮＢ  基地局
ＳｅＮＢ  基地局
ＵＥ  ユーザ装置
１０１  信号受信部
１０２  信号送信部
１０３  ＵＬ信号生成部
１０４  切替部
【図１】
2017038335.tif 000003
【図２】
2017038335.tif 000004
【図３】
2017038335.tif 000005
【図４】
2017038335.tif 000006
【図５】
2017038335.tif 000007
【図６】
2017038335.tif 000008
【図７】
2017038335.tif 000009
【図８】
2017038335.tif 000010
【図９】
2017038335.tif 000011
【図１０】
2017038335.tif 000012
【図１１】
2017038335.tif 000013
【図１２】
2017038335.tif 000014
【図１３】
2017038335.tif 000015
【図１４】
2017038335.tif 000016
【図１５】
2017038335.tif 000017
【図１６】
2017038335.tif 000018